(57)【要約】      （修正有）【課題】天井から突出している吊りボルトに簡便に取り付けられる照明器具を提供する。【解決手段】長尺矩形に形成され吊りボルトを用いて天井材に取り付けられる取付ユニット１と、取付ユニットに取り付けられる器具本体２と、器具本体に取り付けられる光源ユニット３とを備える。器具本体は、光源ユニットの一部又は全体を収納する開口部を有し、光源ユニットは複数のＬＥＤが実装されたＬＥＤ基板と、複数のＬＥＤが開口部の外側を向くようにしてＬＥＤ基板を器具本体に取り付けるための取付部材と、ＬＥＤに点灯電力を供給する電源装置とを有する。電源装置は、開口部に一部又は全体が収納され、光源ユニットを器具本体開口部に取り付けた状態で取付ユニットにおける吊りボルトと干渉しない位置に配置される。【選択図】図３
2016091983.tif 000002
【特許請求の範囲】
【請求項１】
長尺矩形に形成され吊りボルトを用いて天井に取り付けられる平板状の取付ユニットと、前記取付ユニットに取付けられる器具本体と、前記器具本体に取り付けられる光源ユニットとを備え、前記取付ユニットには前記吊りボルトを通すための孔が設けられており、前記器具本体には前記取付ユニットに取り付けるための取付部材と前記光源ユニットを一部または全体を収納する開口部を有し、前記光源ユニットは複数のＬＥＤが実装されたＬＥＤ基板と、前記複数のＬＥＤが前記開口部の外側を向くようにして前記ＬＥＤ基板を前記器具本体に取り付けるための取付部材と、前記ＬＥＤに点灯電力を供給する電源装置とを有し、前記開口部には前記器具本体の開口部に一部または全体が収納され、前記電源装置は、前記光源ユニットを前記器具本体開口部に取り付けた状態で前記取付ユニットにおける吊りボルトと干渉しない位置に配置されることを特徴とする照明器具。
【請求項２】
前記取付ユニットは長尺矩形板状に形成され、底面外縁をたわみ強度向上のために突出する方向で折り曲げられ、または凸状加工が施されたことを特徴とする請求項１記載の照明器具。
【請求項３】
吊りボルトを通すための孔を有し、前記孔に通された前記吊りボルトによって天井材に取り付けられる取付ユニットに取り付けられる器具本体と、前記器具本体に取り付けられる光源ユニットであって、複数のＬＥＤが実装されたＬＥＤ基板と、前記複数のＬＥＤに点灯電力を供給する電源装置と一面側に前記ＬＥＤ基板、多面側に前記電源装置がそれぞれ配置される板状の取付部材とを備え、前記電源装置は、前記光源ユニットを前記器具本体に取り付けた状態で、前記取付ユニットを天井に取り付けた吊りボルトと干渉しない位置に配置されることを特徴とする光源ユニット。
【発明の詳細な説明】
【技術分野】
【０００１】本発明は、ＬＥＤ光源ユニット及びＬＥＤ照明器具に関するものである。
【背景技術】
【０００２】  従来より、取付ねじを用いて天井に取り付けられる天井直付け型の照明器具が提供されている。（例えば特許文献１参照）この照明器具は、天井からの吊りボルトに照明器具を取り付ける場合は、照明器具のシャーシ面よりも下方に向かって吊りボルトが突出してしまうことから照明器具を薄型化するには難があった。
【先行技術文献】
【特許文献１】  特開２０１３−６２０６２号公報
【発明の概要】
【発明が解決しようとする課題】
【０００３】  上述の特許文献１に示した照明器具では、シャーシの外方に突出した凹部が形成されたシャーシと天井板に形成した埋め込み孔に装着可能に構成されている。しかしながらこの方法では天井板に埋め込み孔を形成する必要があり、また吊りボルトの固定がシャーシに形成された凹部で行うなど作業性が損なわれていた。【０００４】  本発明は上記問題点に鑑みてなされたもので、その目的とするところは、天井から突出している吊りボルトに簡便に取り付けられる照明器具を提供することにある。【０００５】  本発明の照明器具は、長尺矩形に形成され吊りボルトを用いて天井材に取り付けられる取付ユニットと、前記取付ユニットに取り付けられる器具本体と、前記器具本体に取り付けられる光源ユニットとを備え、前記取付ユニットには長手方向に沿って前記吊りボルトを通すための孔が設けられており、たわみ強度向上のための折り曲げ部が外縁に沿って設けられている。さらに外縁の折り曲げ部を除いた位置に取付ユニットのたわみ強度を増すために、切り起こし加工部または凸状の加工部を追加しても良い。【０００６】  前記取付ユニットに取付される器具本体には、前記取付ユニットに取り付けるための前記取付ユニットの取付部材と前記器具本体の取付部材と一体となる機構と、前記光源ユニットを一部または全体を収納する開口部を有し、前記光源ユニットは複数のＬＥＤが実装されたＬＥＤ基板と、前記複数のＬＥＤが前記開口部の外側を向くようにして前記ＬＥＤ基板を前記器具本体に取り付けるための取付部材と、前記ＬＥＤに点灯電力を供給する電源装置とを有し、前記開口部には前記器具本体の開口部に一部または全体が収納され、前記電源装置は、前記光源ユニットを前記器具本体開口部に取り付けた状態で前記取付ユニットにおける吊りボルトと干渉しない位置に配置されることを特徴とする。【０００７】  この照明器具に置いて、前記取付ユニットの取付部材は、長尺矩形に形成された底面部に形成された吊りボルトを通す孔の外側に複数個設けるのが好ましい。
また、前記器具本体に設けられる、前記取付ユニットの取付部材と一体になる取付部材は開口部に設けることが好ましい。
【発明の効果】
【０００８】  本発明による吊りボルトと照明器具の取付は、天井に孔加工などの追加加工を施さず、簡単に吊りボルトと平板状の取付ユニットとを固定ができ、天井への取付が簡便な照明器具を提供できる効果がある。
【図面の簡単な説明】
【０００９】
【図１】本発明の組み立て後の全体斜視図である。（１）は吊りボルト取付孔（１１）が開いた取付ユニット。（２）は器具本体。（３）は器具本体の取り付けられずた光源ユニットである。
【図２】本発明の組立図である。
【図３】本発明の組み立て前の構成図である。（１）は取付ユニット、（２）は開口部（２１）を有する器具本体、（３）は器具本体の開口部（２１）に一部あるいは全体が収納される光源ユニットである。
【発明を実施するための形態】
【００１０】  以下に照明器具の実施形態について図１〜図３を参照して説明する。
【００１１】  本実施形態の照明器具は、図１〜図５に示すように、天井直付け型の照明器具であり、吊りボルト（図示せず）を用いて天井材（図示せず）に取り付けられる取付ユニット（１）と、取り付ユニット（１）に対して取り付け自在に取り付けられる器具本体（２）と、器具本体（２）に対して取り付け自在に取り付けられる光源ユニットを備える。
【００１２】  取付ユニット（１）は、板金に強度を高めるための折り曲げ加工（１２）を施した長尺矩形状をなし、長手方向中央線上に吊りボルト取付孔（１１）が開いている。天井材（図示せず）と反対側には器具本体（２）を取り付けられる取付部材（図示せず）、例えばループ状バネ材が複数個取り付けられている。
【００１３】  器具本体（２）は図３、図４に示すように中央の開口部（２１）の左右方向（幅方向）において開口部（２１）の両側には、開口部（２１）開口端部から、延出し旦つ外側に行くほど上側（天井側）に傾斜する傾斜面（２２，２２）がそれぞれ設けられている。開口部には板金加工よる開口部（２１）を取り巻く壁（２３）が設けられている。この壁（２３）は取付ユニット（１）の取付部材と対をなす取付部材が構成されれば、その大きさ形状は自由である。たとえば前記取付ユニット（１）のループ状バネ材が固定できる係止ツメ状部材を設ければよい。
【００１４】  光源ユニット（３）は図５、図６に示すようにＬＥＤ基板（３２）とＬＥＤ基板（３２）が取り付けられる部材（３１）と、ＬＥＤ基板（３２）を覆うようにして取り付けられるカバー（３３）とＬＥＤ基板（３２）に電力を供給する電源装置（３４）とを有する。カバー材（３３）は、光拡散性を有する材料（例えば乳白色アクリル樹脂）により構成されるのが好ましい。電源装置（３４）はＬＥＤ基板（３２）に実装されたＬＥＤ（図示せず）の点灯電力を生成するために必要な回路部品が実装されており、ＬＥＤ基板（３２）が取り付けられる部材（３１）の反対側の面（天井方向）に取り付けられる。
【００１５】  次に本発明の照明器具の組み立て手順について説明する。まず最初に作業者は、吊りボルトに取付ユニット（１）を通しナット（図示せず）により固定する。次に取付ユニット（１）の取付部材と、対応する器具本体の取付部材を勘合させ取付固定する。次に取付ユニットに取り付けられた端子台（図示せず）に電源電線を接続する。次に光源ユニット（３）を器具本体に取り付け完成させる。この際、光源ユニット（３）の取付は最初片側だけで行い、端子台（図示せず）と電源装置（３４）の間を電気的に接続する電線（図示せず）を接続した後、光源ユニット（３）を所定取付位置にすればさらに作業性はよくなる。
【符号の説明】
【００１６】（１）取付ユニット
（２）器具本体
（３）光源ユニット
（１１）吊りボルト孔
（１２）折り曲げ加工部
（２１）開口部
（２２）傾斜面
（２３）壁
（３１）部材
（３２）ＬＥＤ基板
（３３）カバー
（３４）電源装置
【図１】
2016091983.tif 000003
【図２】
2016091983.tif 000004
【図３】
2016091983.tif 000005
【図４】
2016091983.tif 000006
【図５】
2016091983.tif 000007
【図６】
2016091983.tif 000008
【手続補正書】
【提出日】平成27年2月3日(2015.2.3)
【手続補正１】
【補正対象書類名】明細書
【補正対象項目名】０００９
【補正方法】変更
【補正の内容】
【０００９】
【図１】本発明の組み立て後の照明器具全体斜視図である。（１）は吊りボルト取付孔（１１）が開いた取付ユニット。（２）は器具本体。（３）は器具本体の取り付けられた光源ユニットである。
【図２】本発明照明器具の組立図である。
【図３】本発明の組み立て前の部品構成図である。（１）は取付ユニット、（２）は開口部（２１）を有する器具本体、（３）は器具本体の開口部（２１）に一部あるいは全体が収納される光源ユニットである。
【図４】本発明の器具本体斜視図である。（２１）は開口部、（２２）は傾斜面、（２３）は開口部（２１）を取り巻く壁である。
【図５】本発明の光源ユニット斜視図である。（３３）はＬＥＤからの光を透過する投光性の樹脂カバーである。
【図６】本発明の光源ユニット断面図である。（３１）はＬＥＤ基板（３２）が取付けられる部材で、それらを覆うように透光性樹脂カバー（３３）を有する。また、ＬＥＤ基板（３１）に電力を供給する電源装置（３４）をも有している。
【手続補正２】
【補正対象書類名】図面
【補正対象項目名】全図
【補正方法】変更
【補正の内容】
【図１】
2016091983.tif 000009
【図２】
2016091983.tif 000010
【図３】
2016091983.tif 000011
【図４】
2016091983.tif 000012
【図５】
2016091983.tif 000013
【図６】
2016091983.tif 000014